(57)【要約】  無線局の位置とこの無線局から送信される電波の周波数を記憶する内部メモリ１３と、受信された放送波の高周波信号をフィルタリングする適応フィルタ部４と、移動体の位置情報と内部メモリ１３に記憶される無線局の位置に基づいて、所望の放送波を受信する際に、無線局から送信される電波による妨害波が発生するか否かを判定する妨害波有無判定部１５と、妨害波有無判定部１５により妨害波が発生すると判定された場合に、所望の放送波を通過し、かつ妨害波の周波数が通過周波数帯域外となるように適応フィルタ部４の通過周波数帯域を選択するフィルタ経路選択部１６とを備える。
2014024278.tif 000002
【特許請求の範囲】
【請求項１】
移動体に搭載または携帯され、放送波を受信する放送受信装置において、
無線局の位置と、この無線局から送信される電波の周波数を記憶する記憶部と、
受信された放送波の高周波信号をフィルタリングする適応フィルタ部と、
前記移動体の位置情報と前記記憶部に記憶される前記無線局の位置に基づいて、所望の放送波を受信する際に、前記無線局から送信される電波による妨害波が発生するか否かを判定する判定部と、
前記判定部により妨害波が発生すると判定された場合に、前記所望の放送波を通過し、かつ前記妨害波の周波数が通過周波数帯域外となる前記適応フィルタ部の通過周波数帯域を選択する選択部とを備えることを特徴とする放送受信装置。
【請求項２】
前記適応フィルタ部は、互いに通過周波数帯域が異なる複数のアナログフィルタを有しており、
前記選択部は、前記複数のアナログフィルタの中から、所望の放送波を通過し、かつ妨害波の周波数が通過周波数帯域外となるアナログフィルタを選択することを特徴とする請求項１記載の放送受信装置。
【請求項３】
前記適応フィルタ部は、受信された放送波の高周波信号をデジタル信号に変換するＡ／Ｄ変換部と、フィルタパラメータによって通過周波数帯域が可変であり、前記Ａ／Ｄ変換部によって変換されたデジタル信号から前記通過周波数帯域の信号を通過させるデジタルフィルタとを有し、
前記選択部は、所望の放送波を通過し、かつ妨害波の周波数が通過周波数帯域外となるフィルタパラメータを選択して前記デジタルフィルタに設定することを特徴とする請求項１記載の放送受信装置。
【請求項４】
無線局の位置と、この無線局から送信される電波の周波数を取得する機能と、自身の位置を計測する機能を有する携帯端末に接続して、前記無線局の位置と、この無線局から送信される電波の周波数、および前記位置情報を取得することを特徴とする請求項１記載の放送受信装置。
【発明の詳細な説明】
【技術分野】
【０００１】
この発明は、車両などの移動体に搭載される放送受信装置に関する。
【背景技術】
【０００２】
例えば、特許文献１には、受信された高周波信号を中間周波信号に変換した後に、通過帯域の異なるフィルタのいずれかに通過させて、その後の信号を検波する車両用受信機が開示されている。この受信機では、隣接妨害波および相互変調妨害波の発生場所と周波数情報を関連付けて記憶しておき、車両の走行場所に応じて記憶内容から決定した妨害波の周波数情報に基づいて、中間周波信号を通過させるフィルタを切り換えている。
【先行技術文献】
【特許文献】
【０００３】
【特許文献１】特開２００７−２８８５２９号公報
【発明の概要】
【発明が解決しようとする課題】
【０００４】
特許文献１に代表される従来の技術では、高周波信号を中間周波数に変換する際に予期せぬノイズ成分が生成されてその後のフィルタでも除去しきれず、受信品質や音声品質が劣化する可能性があるという課題があった。【０００５】
この発明は、上記のような課題を解決するためになされたもので、外来ノイズを適切に除去することができる放送受信装置を得ることを目的とする。
【課題を解決するための手段】
【０００６】
この発明に係る放送受信装置は、移動体に搭載または携帯され、放送波を受信する放送受信装置において、無線局の位置と、この無線局から送信される電波の周波数を記憶する記憶部と、受信された放送波の高周波信号をフィルタリングする適応フィルタ部と、移動体の位置情報と記憶部に記憶される無線局の位置に基づいて、所望の放送波を受信する際に、無線局から送信される電波による妨害波が発生するか否かを判定する判定部と、判定部により妨害波が発生すると判定された場合に、所望の放送波を通過し、かつ妨害波の周波数が通過周波数帯域外となる適応フィルタ部の通過周波数帯域を選択する選択部とを備えることを特徴とする。
【発明の効果】
【０００７】
この発明によれば、外来ノイズを適切に除去することができるという効果がある。
【図面の簡単な説明】
【０００８】
【図１】中間周波フィルタで除去できない外来ノイズを説明する図である。
【図２】この発明に係る放送受信装置の構成を示すブロック図である。
【図３】実施の形態１に係る放送受信装置の主要構成を示す図である。
【図４】実施の形態１に係る放送受信装置の動作を示すフローチャートである。
【図５】実施の形態１における外来ノイズの除去方法を説明する図である。
【図６】この発明の実施の形態２に係る放送受信装置の主要構成を示す図である。
【図７】実施の形態２に係る放送受信装置の動作を示すフローチャートである。
【図８】実施の形態２における外来ノイズの除去方法を説明する図である。
【発明を実施するための形態】
【０００９】
以下、この発明をより詳細に説明するため、この発明を実施するための形態について、添付の図面に従って説明する。
実施の形態１．
図１は、中間周波フィルタで除去できない外来ノイズを説明する図である。図１（ａ）は、従来の放送受信装置における受信系統の構成を示しており、図１（ｂ）は周波数変換時における外来ノイズの影響を概略的に示している。
受信された放送波の高周波信号は、図１（ａ）に示すように、高周波フィルタで所定の帯域成分のみが抽出された後、高周波増幅回路で増幅され周波数変換回路に入力される。周波数変換回路のミキサは、高周波増幅回路からの出力に対して、ローカル発振器が発生した発振信号を混合して中間周波数に周波数変換する。周波数変換回路からの出力された中間周波信号は、中間周波フィルタで所望の帯域成分のみが抽出された後、中間周波増幅回路で増幅されて出力される。中間周波信号は、後段でベースバンド周波数にさらに周波数変換される（スーパーへテロダイン方式）。
【００１０】
従来では、図１（ｂ）に示すように、高周波フィルタの通過周波数帯域内に外来ノイズがある場合、周波数変換した後の中間周波フィルタでも除去できない周波数帯にノイズ成分が残留して（中間周波フィルタの通過周波数帯域内のノイズ）、受信品質を劣化させる可能性がある。また、周波数変換時に発生したノイズ成分が、中間周波増幅回路での増幅処理に影響を与えてベースバンド周波数の帯域にノイズ成分が残留し、音声品質を劣化させる可能性がある。
【００１１】
この発明は、上述したような、高周波信号を周波数変換するときに生成される予期せぬノイズ成分を適切に除去するため、フロントエンド、すなわち周波数変換前の高周波信号からノイズ成分を除去する。以下、具体的な構成について説明する。
図２は、この発明に係る放送受信装置の構成を示すブロック図である。図２に示す放送受信装置は、車両などの移動体に搭載されるか、または人間などの移動体に携帯されて、ラジオ放送波（ＦＭ変調波）を受信する放送受信装置であって、携帯端末１４と接続して所定の情報を取得する。
また、その構成として、アンテナ１、アンテナ入力回路２、高周波フィルタ３ａ、高周波増幅回路３、適応フィルタ部４、周波数変換回路５、中間周波フィルタ６ａ、中間周波増幅回路６、検波回路７、ステレオ復調回路８、ディエンファシス回路９、低周波増幅回路１０、スピーカ１１、選択回路１２および内部メモリ１３を備える。
【００１２】
アンテナ入力回路２は、アンテナ１で受信された放送波の高周波信号を高周波フィルタ３ａに出力する。高周波フィルタ３ａは、入力した高周波信号から所定の帯域成分のみを抽出して高周波増幅回路３で増幅する。
適応フィルタ部４は、周波数変換回路５の前段に設けられており、高周波増幅回路３の出力から、外来ノイズを低減した所望の通過周波数帯域の高周波信号を通過させる。
【００１３】
周波数変換回路５では、適応フィルタ部４によってフィルタリングされた高周波信号を入力して中間周波数に周波数変換する。中間周波信号は、中間周波フィルタ６ａで所定の帯域成分のみが抽出されて中間周波増幅回路６に入力される。
中間周波増幅回路６で検波可能なレベルまで増幅された中間周波信号は、検波回路７により所望の放送局からの放送波が検波され、ステレオ復調回路８で復調される。
受信波がＦＭ放送である場合は、ディエンファシス回路９が、受信波のうち強調された高周波帯域の信号レベルを元に戻す。ディエンファシス回路９の出力は、低周波増幅回路１０で増幅され、スピーカ１１からオーディオ出力される。
【００１４】
選択回路１２は、移動体の位置情報と内部メモリ１３に記憶される無線局の位置に基づいて、所望の放送波を受信する際に、無線局から送信される電波による妨害波が発生するか否かを判定し、妨害波が発生すると判定した場合、所望の放送波を通過し、かつ妨害波の周波数が通過周波数帯域外となる適応フィルタ部４の通過周波数帯域を選択する。
内部メモリ１３は、無線局の位置と、この無線局から送信される電波の周波数を記憶する記憶部である。無線局の位置と、この無線局から送信される電波の周波数は、所望の放送波を受信する際に、この無線局から送信される電波による妨害波が発生するか否かの判定に使用される。なお、内部メモリ１３には無線局からの送信電力も記憶してもよい。
【００１５】
携帯端末１４は、無線局の位置と、この無線局から送信される電波の周波数を取得する機能と、自身の位置を計測する機能とを有する携帯端末である。例えば、自身の位置を計測する機能は、ＧＰＳ（Ｇｌｏｂａｌ  Ｐｏｓｉｔｉｏｎｉｎｇ  Ｓｙｓｔｅｍ）受信機で実現することができる。すなわち、ＧＰＳ信号を解析して得られる緯度経度を利用する。
なお、ＧＰＳ受信機に代えて、ジャイロスコープや距離センサなどを用いて位置計測を行ってもよい。
無線局に関する情報（妨害波情報）を取得する機能としては、例えば、放送または電話などの通信手段によって、妨害波となり得る送信波を発生する無線局の位置を示す情報と送信波の周波数情報を取得する。この機能により、妨害波となり得るテレビ放送波を送信するテレビ塔（電波塔）などが無線局として判別され、その位置とテレビ放送波の周波数情報とが取得される。
【００１６】
また、携帯端末１４は、携帯電話機やスマートフォン、携帯情報端末などの既存の通信端末によって実現可能である。この発明に係る放送受信装置は、携帯端末１４の上記機能を有していなくても、携帯端末１４と通信接続するだけで、上記情報を取得することができる。また、様々な携帯端末１４と接続して詳細な情報を得る汎用性を持たせることで、より正確に妨害波を除去することが可能となる。
なお、図２では、無線局の位置と、この無線局から送信される電波の周波数および移動体の位置情報を携帯端末１４から取得する場合を示したが、放送受信装置自体が、無線局の位置と、この無線局から送信される電波の周波数を取得する機能と、自身の位置を計測する機能とを有する通信部を備えてもよい。
【００１７】
図３は、実施の形態１に係る放送受信装置の主要構成を示す図であり、フロントエンドにおける適応フィルタ部４および選択回路１２の構成を示している。
図３に示すように、選択回路１２は、妨害波有無判定部１５とフィルタ経路選択部１６を備えており、適応フィルタ部４は、バンドパスフィルタ１７〜１９とＲＦスイッチ２０を備える。実施の形態１では、適応フィルタ部４が、互いに通過周波数帯域が異なるバンドパスフィルタ１７〜１９を有しており、選択回路１２が、バンドパスフィルタ１７〜１９の中から、所望の放送波を通過し、かつ妨害波の周波数が通過周波数帯域外となるバンドパスフィルタを選択する。
【００１８】
妨害波有無判定部１５は、所望の放送波の受信における妨害波の有無を判定する判定部である。例えば、携帯端末１４から取得した現在の車両の位置情報を用いて、内部メモリ１３に記憶されている無線局の位置を検索することで、所望の放送波を受信する際に、この無線局から送信される電波による妨害波が発生するか否かを判定し、妨害波が発生すると判定した場合、無線局から送信される電波の周波数から妨害波の周波数を判別する。
また、フィルタ経路選択部１６は、所望の放送波の周波数と、妨害波有無判定部１５によって判別された妨害波の周波数に基づいて、バンドパスフィルタ１７〜１９の中から、所望の放送波を通過し、かつ妨害波の周波数が通過周波数帯域外となるバンドパスフィルタを選択する選択部である。
【００１９】
バンドパスフィルタ１７〜１９は、互いに異なる通過周波数帯域を有し、高周波アナログ信号から上記通過周波数帯域の信号を通過させるアナログフィルタである。
なお、図３の例では、３つのバンドパスフィルタ１７〜１９を備える構成を示したが、互いに通過周波数帯域が異なる４つ以上のフィルタを設けてもよい。
ＲＦスイッチ２０は、バンドパスフィルタ１７〜１９の中から、出力経路に接続するフィルタを切り替えるスイッチ部である。
なお、ＲＦスイッチ２０から出力される、フィルタリング後の高周波アナログ信号は、図２に示した周波数変換回路５に入力される。
【００２０】
次に動作について説明する。
図４は、実施の形態１に係る放送受信装置の動作を示すフローチャートであり、フロントエンドで受信波における妨害波の有無判定と受信波を通すフィルタ経路を選択する処理の詳細を示している。
まず、携帯端末１４は、実施の形態１に係る放送受信装置に有線または無線で接続して妨害波情報を提供する。なお、妨害波情報とは、無線局の位置と、この無線局から送信される電波の周波数を示す情報である。
実施の形態１に係る放送受信装置は、携帯端末１４から妨害波情報を取得すると、内部メモリ１３に記憶する（ステップＳＴ１）。
次に、実施の形態１に係る放送受信装置の選択回路１２は、携帯端末１４から現在位置情報を取得する（ステップＳＴ２）。
【００２１】
選択回路１２の妨害波有無判定部１５が、携帯端末１４から取得した現在位置情報と内部メモリ１３が記憶する無線局の位置とを用いて、所望の放送波を受信する際に、無線局からの電波による妨害波があるか否かを判定する（ステップＳＴ３）。
ここでは、例えば、妨害波有無判定部１５が、移動体の現在位置と、内部メモリ１３に記憶される無線局の位置とに基づいて、現在位置で受信可能な全ての無線局からの電波の周波数を判別する。具体的には、移動体の現在位置と無線局の位置から、移動体から無線局までの距離を算出し、所定の送信電力と仮定して距離の閾値と比較することで受信可能であるか否かを判定する。この判定により、移動体を中心とした所定範囲内にある全ての無線局について行うことにより、受信可能な電波の周波数を判別する。
受信可能な無線局からの電波の周波数に基づいて妨害波の周波数を決定する。例えば、現在位置で受信可能な全ての電波の周波数のうち、高周波フィルタ３ａの通過周波数帯域にある所望の放送波の周波数を除いた周波数を妨害波とする。
【００２２】
所望の放送波の受信で妨害波がない場合（ステップＳＴ３；ＮＯ）、妨害波有無判定部１５は、その旨をフィルタ経路選択部１６に通知する。フィルタ経路選択部１６は、妨害波有無判定部１５からの上記通知を受けると、バンドパスフィルタ１７〜１９の中から、デフォルトのバンドパスフィルタ１７を選択して、適応フィルタ部４のＲＦスイッチ２０に指定する。
【００２３】
一方、所望の放送波の受信で妨害波がある場合（ステップＳＴ３；ＹＥＳ）、妨害波有無判定部１５は、妨害波がある旨と、所望の放送波（所望波）の周波数、および決定した妨害波の周波数をフィルタ経路選択部１６に通知する。
フィルタ経路選択部１６は、妨害波有無判定部１５から上記通知を受けると、所望波を通過し、かつ妨害波の周波数が通過周波数帯域外となる、バンドパスフィルタ１８またはバンドパスフィルタ１９を選択して、適応フィルタ部４のＲＦスイッチ２０に指定する。
【００２４】
受信波である高周波信号は、バンドパスフィルタ１７〜１９を通って、フィルタリング処理が行われる（ステップＳＴ５）。
ＲＦスイッチ２０は、高周波信号をフィルタリング処理したバンドパスフィルタ１７〜１９の中から、フィルタ経路選択部１６から指定されたバンドパスフィルタを、出力経路に接続するフィルタを切り替える（ステップＳＴ６）。
このように、ＲＦスイッチ２０が、図５に示すように所望波（ＦＭ変調波）を通過し、かつ妨害波（外来ノイズ）の周波数が通過周波数帯域外となるバンドパスフィルタにダイナミックにフィルタ経路を切り替えることで、中間周波数に周波数変換しても外来ノイズが低減された高周波信号を抽出できる。
【００２５】
以上のように、この実施の形態１によれば、無線局の位置と、この無線局から送信される電波の周波数を記憶する内部メモリ１３と、受信された放送波の高周波信号をフィルタリングする適応フィルタ部４と、移動体の位置情報と内部メモリ１３に記憶される無線局の位置に基づいて、所望の放送波を受信する際に、無線局から送信される電波による妨害波が発生するか否かを判定する妨害波有無判定部１５と、妨害波有無判定部１５により妨害波が発生すると判定された場合に、所望の放送波を通過し、かつ妨害波の周波数が通過周波数帯域外となるように適応フィルタ部４の通過周波数帯域を選択するフィルタ経路選択部１６とを備える。このように構成することで、高周波信号に重畳する外来ノイズを適切に除去することができる。フロントエンドで処理するために、既存回路への影響が少なく回路構成を簡素化でき、低コスト化を図ることができる。
【００２６】
また、この実施の形態１によれば、適応フィルタ部４が、互いに通過周波数帯域が異なる複数のバンドパスフィルタ１７〜１９を有しており、フィルタ経路選択部１６が、複数のバンドパスフィルタ１７〜１９の中から、所望の放送波を通過し、かつ妨害波の周波数が通過周波数帯域外となるバンドパスフィルタを選択する。
このように、高周波増幅回路と周波数変換回路の間に簡易な回路を追加するだけで、実施の形態１に係る放送受信装置を実現できる。すなわち、フロントエンドで、アナログフィルタによって高周波信号に重畳する外来ノイズを除去することから、既存回路への影響が少なく回路構成を簡素化でき、低コスト化を図ることができる。また、車両の走行場所や地域に適したバンドパスフィルタが順次選択されるため、広域性を確保した放送受信装置を提供することができる。
【００２７】
さらに、この実施の形態１によれば、無線局の位置と、この無線局から送信される電波の周波数を取得する機能と、自身の位置を計測する機能を有する携帯端末１４に接続して、無線局の位置と、この無線局から送信される電波の周波数および位置情報を取得するので、実施の形態１に係る放送受信装置が上記機能を有していなくても携帯端末１４と通信接続するだけで、上記情報を取得することができる。
【００２８】
実施の形態２．
図６は、この発明の実施の形態２に係る放送受信装置の主要構成を示す図である。図６に示す放送受信装置は、上記実施の形態１と同様に、車両などの移動体に搭載されるか、または人間などの移動体に携帯されて、ラジオ放送波（ＦＭ変調波）を受信する放送受信装置であり、フロントエンドに適応フィルタ部４Ａおよび選択回路１２Ａを有する。
選択回路１２Ａは、図６に示すように、妨害波有無判定部２１とフィルタパラメータ選択部２２を備えており、適応フィルタ部４Ａは、Ａ／Ｄ変換部２３とバンドパスフィルタ２４を備える。実施の形態２では、適応フィルタ部４Ａが、フィルタパラメータによって通過周波数帯域が可変なバンドパスフィルタ２４を有しており、選択回路１２Ａが、所望の放送波を通過し、かつ妨害波の周波数が通過周波数帯域外となるフィルタパラメータを選択してバンドパスフィルタ２４に設置する。
【００２９】
妨害波有無判定部２１は、上記実施の形態１と同様に、所望の放送波の受信における妨害波の有無を判定する判定部である。例えば、携帯端末１４から取得した現在の車両の位置情報を用いて、内部メモリ１３に記憶されている無線局の位置を検索することで、所望の放送波を受信する際に、この無線局から送信される電波による妨害波が発生するか否かを判定し、妨害波が発生すると判定した場合に、無線局から送信される電波の周波数から妨害波の周波数を判別する。
【００３０】
また、フィルタパラメータ選択部２２は、所望の放送波の周波数と妨害波有無判定部２１によって判別された妨害波の周波数とに基づいて、所望の放送波を通過し、かつ妨害波の周波数が通過周波数帯域外となるフィルタパラメータを選択して、バンドパスフィルタ２４に設定する選択部である。フィルタパラメータとは、例えば、通過周波数帯域を決定する適応フィルタ係数などである。
【００３１】
Ａ／Ｄ変換部２３は、受信された放送波の高周波信号をアナログ信号からデジタル信号に変換するアナログ−デジタル変換部である。
バンドパスフィルタ２４は、フィルタパラメータにより通過周波数帯域が可変であり、Ａ／Ｄ変換部２３によって変換されたデジタル信号から、通過周波数帯域の信号を通過させるデジタルフィルタである。例えば、入力信号から特定の周波数帯域の成分を減衰させるノッチフィルタで実現される。
なお、バンドパスフィルタ２４から出力されるフィルタリング後の高周波デジタル信号は、図２に示した周波数変換回路５に入力される。
【００３２】
次に動作について説明する。
図７は、実施の形態２に係る放送受信装置の動作を示すフローチャートであり、フロントエンドで受信波における妨害波の有無判定と受信波を通すフィルタ経路を選択する処理の詳細を示している。
まず、携帯端末１４は、上記実施の形態１と同様に、実施の形態２に係る放送受信装置に有線または無線で接続して妨害波情報を提供する。なお、妨害波情報とは、無線局の位置と、この無線局から送信される電波の周波数を示す情報である。
実施の形態２に係る放送受信装置は、携帯端末１４から妨害波情報を取得すると内部メモリ１３に記憶する（ステップＳＴ１ａ）。
次に、実施の形態２に係る放送受信装置の選択回路１２Ａは、携帯端末１４から現在位置情報を取得する（ステップＳＴ２ａ）。
【００３３】
選択回路１２Ａの妨害波有無判定部２１が、携帯端末１４から取得した現在位置情報と内部メモリ１３が記憶する無線局の位置とを用いて、所望の放送波を受信する際に無線局からの電波による妨害波があるか否かを判定する（ステップＳＴ３ａ）。ここまでは、上記実施の形態１で図４を用いて説明した処理と同様である。
【００３４】
所望の放送波の受信で妨害波がない場合（ステップＳＴ３ａ；ＮＯ）、妨害波有無判定部２１は、その旨をフィルタパラメータ選択部２２に通知する。フィルタパラメータ選択部２２は、妨害波有無判定部２１からの上記通知を受けると、デフォルトのフィルタパラメータを選択して適応フィルタ部４Ａのバンドパスフィルタ２４に設定する。
なお、デフォルトのフィルタパラメータは、フィルタリング処理が行われない全周波数帯域を通過させるパラメータとなる。
【００３５】
一方、所望の放送波の受信で妨害波がある場合（ステップＳＴ３ａ；ＹＥＳ）、妨害波有無判定部２１は、妨害波がある旨と、所望の放送波（所望波）の周波数および決定した妨害波の周波数をフィルタパラメータ選択部２２に通知する。
フィルタパラメータ選択部２２は、妨害波有無判定部２１から上記通知を受けると、所望波を通過し、かつ妨害波の周波数が通過周波数帯域外となるフィルタパラメータを選択してバンドパスフィルタ２４に設定する（ステップＳＴ４ａ）。
【００３６】
受信波である高周波信号は、Ａ／Ｄ変換部２３によりデジタル信号に変換された後に、バンドパスフィルタ２４によりフィルタリング処理が行われる（ステップＳＴ５ａ）。
このように、フィルタパラメータ選択部２２が、図８に示すように、所望波（ＦＭ変調波）を通過し、かつ妨害波（外来ノイズ）の周波数が通過周波数帯域外となるフィルタパラメータを選択して、ノッチフィルタなどのバンドパスフィルタ２４に設定することで、中間周波数に周波数変換しても外来ノイズが低減された高周波信号を抽出できる。
【００３７】
以上のように、この実施の形態２によれば、適応フィルタ部４Ａが、受信された放送波の高周波信号をデジタル信号に変換するＡ／Ｄ変換部２３と、フィルタパラメータによって通過周波数帯域が可変であり、Ａ／Ｄ変換部２３によって変換されたデジタル信号から通過周波数帯域の信号を通過させるバンドパスフィルタ２４とを有し、フィルタパラメータ選択部２２が、所望の放送波を通過し、かつ妨害波の周波数が通過周波数帯域外となるフィルタパラメータを選択してバンドパスフィルタ２４に設定する。
このように構成することでもフロントエンドで高周波信号に重畳する外来ノイズを適切に除去することが可能である。
さらに、フロントエンドで処理するために、既存回路への影響が少なく回路構成を簡素化でき、低コスト化を図ることができる。
また、フィルタパラメータの変更で様々な通過周波数帯域を実現できるため、回路規模を小さくでき、装置全体の小型化に寄与することが可能である。
さらに、車両の走行場所や地域に適したフィルタパラメータに順次更新されるため、広域性を確保した放送受信装置を提供することができる。
【００３８】
上記実施の形態１，２では、この発明に係る放送受信装置がラジオ放送を受信する場合を例に挙げたが、この発明は、テレビ放送を受信する場合にも、そのまま適用することができる。
【００３９】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００４０】
この発明に係る放送受信装置は、外来ノイズを適切に除去することができるので、車両の移動により受信環境が変化する車載用の放送受信装置に好適である。
【符号の説明】
【００４１】
１  アンテナ、２  アンテナ入力回路、３ａ  高周波フィルタ、３  高周波増幅回路、４，４Ａ  適応フィルタ部、５  周波数変換回路、６ａ  中間周波フィルタ、６  中間周波増幅回路、７  検波回路、８  ステレオ復調回路、９  ディエンファシス回路、１０  低周波増幅回路、１１  スピーカ、１２，１２Ａ  選択回路、１３  内部メモリ、１４  携帯端末、１５，２１  妨害波有無判定部、１６  フィルタ経路選択部、１７〜１９，２４  バンドパスフィルタ、２０  ＲＦスイッチ、２２  フィルタパラメータ選択部、２３  Ａ／Ｄ変換部。
【図１】
2014024278.tif 000003
【図２】
2014024278.tif 000004
【図３】
2014024278.tif 000005
【図４】
2014024278.tif 000006
【図５】
2014024278.tif 000007
【図６】
2014024278.tif 000008
【図７】
2014024278.tif 000009
【図８】
2014024278.tif 000010
【手続補正書】
【提出日】平成26年8月14日(2014.8.14)
【手続補正１】
【補正対象書類名】明細書
【補正対象項目名】０００６
【補正方法】変更
【補正の内容】
【０００６】
この発明に係る放送受信装置は、移動体に搭載または携帯され、放送波を受信する放送受信装置において、携帯端末から取得した、無線局の位置と無線局から送信される電波の周波数を記憶する記憶部と、受信された放送波の高周波信号を周波数変換する周波数変換回路の前段に設けられ、高周波信号をフィルタリングする適応フィルタ部と、移動体の位置情報と記憶部に記憶される無線局の位置に基づいて、所望の放送波を受信する際に、無線局から送信される電波による妨害波が発生するか否かを判定する判定部と、判定部により妨害波が発生すると判定された場合に、所望の放送波を通過し、かつ妨害波の周波数が通過周波数帯域外となる適応フィルタ部の通過周波数帯域を選択する選択部とを備えることを特徴とする。
【手続補正２】
【補正対象書類名】特許請求の範囲
【補正対象項目名】全文
【補正方法】変更
【補正の内容】
【特許請求の範囲】
【請求項１】
移動体に搭載または携帯され、放送波を受信する放送受信装置において、
携帯端末から取得した、無線局の位置と前記無線局から送信される電波の周波数を記憶する記憶部と、
受信された放送波の高周波信号を周波数変換する周波数変換回路の前段に設けられ、前記高周波信号をフィルタリングする適応フィルタ部と、
前記移動体の位置情報と前記記憶部に記憶される前記無線局の位置に基づいて、所望の放送波を受信する際に、前記無線局から送信される電波による妨害波が発生するか否かを判定する判定部と、
前記判定部により前記妨害波が発生すると判定された場合に、前記所望の放送波を通過し、かつ前記妨害波の周波数が通過周波数帯域外となる前記適応フィルタ部の通過周波数帯域を選択する選択部とを備えることを特徴とする放送受信装置。
【請求項２】
前記適応フィルタ部は、互いに通過周波数帯域が異なる複数のアナログフィルタを有しており、
前記選択部は、前記複数のアナログフィルタの中から、前記所望の放送波を通過し、かつ前記妨害波の周波数が通過周波数帯域外となるアナログフィルタを選択することを特徴とする請求項１記載の放送受信装置。
【請求項３】
前記適応フィルタ部は、受信された放送波の前記高周波信号をデジタル信号に変換するＡ／Ｄ変換部と、フィルタパラメータによって通過周波数帯域が可変であり、前記Ａ／Ｄ変換部によって変換されたデジタル信号から前記通過周波数帯域の信号を通過させるデジタルフィルタとを有し、
前記選択部は、前記所望の放送波を通過し、かつ前記妨害波の周波数が通過周波数帯域外となるフィルタパラメータを選択して前記デジタルフィルタに設定することを特徴とする請求項１記載の放送受信装置。
【請求項４】
前記無線局の位置と、前記無線局から送信される電波の周波数を取得する機能と、自身の位置を計測する機能を有する携帯端末に接続して、前記無線局の位置と、前記無線局から送信される電波の周波数、および前記位置情報を取得することを特徴とする請求項１記載の放送受信装置。
【手続補正書】
【提出日】平成27年5月29日(2015.5.29)
【手続補正１】
【補正対象書類名】明細書
【補正対象項目名】０００６
【補正方法】変更
【補正の内容】
【０００６】
この発明に係る放送受信装置は、移動体に搭載または携帯され、放送波を受信する放送受信装置において、携帯端末から取得した、無線局の位置と無線局から送信される電波の周波数を記憶する記憶部と、受信された放送波の高周波信号に発振信号を混合して中間周波数に周波数変換する周波数変換回路と、周波数変換回路の前段に設けられ、周波数変換回路に入力される高周波信号をフィルタリングする適応フィルタ部と、移動体の位置情報と記憶部に記憶される無線局の位置に基づいて、所望の放送波を受信する際に、無線局から送信される電波による妨害波が発生するか否かを判定する判定部と、判定部により妨害波が発生すると判定された場合に、所望の放送波を通過し、かつ妨害波の周波数が通過周波数帯域外となる適応フィルタ部の通過周波数帯域を選択する選択部とを備えることを特徴とする。
【手続補正２】
【補正対象書類名】特許請求の範囲
【補正対象項目名】全文
【補正方法】変更
【補正の内容】
【特許請求の範囲】
【請求項１】
移動体に搭載または携帯され、放送波を受信する放送受信装置において、
携帯端末から取得した、無線局の位置と前記無線局から送信される電波の周波数を記憶する記憶部と、
受信された放送波の高周波信号に発振信号を混合して中間周波数に周波数変換する周波数変換回路と、
前記周波数変換回路の前段に設けられ、前記周波数変換回路に入力される前記高周波信号をフィルタリングする適応フィルタ部と、
前記移動体の位置情報と前記記憶部に記憶される前記無線局の位置に基づいて、所望の放送波を受信する際に、前記無線局から送信される電波による妨害波が発生するか否かを判定する判定部と、
前記判定部により前記妨害波が発生すると判定された場合に、前記所望の放送波を通過し、かつ前記妨害波の周波数が通過周波数帯域外となる前記適応フィルタ部の通過周波数帯域を選択する選択部とを備えることを特徴とする放送受信装置。
【請求項２】
前記適応フィルタ部は、互いに通過周波数帯域が異なる複数のアナログフィルタを有しており、
前記選択部は、前記複数のアナログフィルタの中から、前記所望の放送波を通過し、かつ前記妨害波の周波数が通過周波数帯域外となるアナログフィルタを選択することを特徴とする請求項１記載の放送受信装置。
【請求項３】
前記適応フィルタ部は、受信された放送波の前記高周波信号をデジタル信号に変換するＡ／Ｄ変換部と、フィルタパラメータによって通過周波数帯域が可変であり、前記Ａ／Ｄ変換部によって変換されたデジタル信号から前記通過周波数帯域の信号を通過させるデジタルフィルタとを有し、
前記選択部は、前記所望の放送波を通過し、かつ前記妨害波の周波数が通過周波数帯域外となるフィルタパラメータを選択して前記デジタルフィルタに設定することを特徴とする請求項１記載の放送受信装置。
【請求項４】
前記無線局の位置と、前記無線局から送信される電波の周波数を取得する機能と、自身の位置を計測する機能を有する携帯端末に接続して、前記無線局の位置と、前記無線局から送信される電波の周波数、および前記位置情報を取得することを特徴とする請求項１記載の放送受信装置。
【国際調査報告】
2014024278.tif 000011
2014024278.tif 000012
2014024278.tif 000013